(57)【要約】【課題】  フラッシュライトが点灯しているときに、ＲＦバースト信号の送信が行われても、電池に過大な負荷がかかるのを抑制させた携帯通信端末を提供する。【解決手段】  ユーザによるシャッター操作に基づいて発光するフラッシュライト６と、基地局Ａ１から送信された制御信号を受信するとともに、基地局Ａ１に対してＲＦバースト信号を送信する送受信部２と、電力を供給する電池５と、ＲＦバースト信号の送信タイミングを示す制御信号に基づいて抑制イネーブル信号を生成するイネーブル信号生成部３と、抑制イネーブル信号に基づいてＲＦバースト信号の送信タイミングに同期させてフラッシュライト６に対する電力供給を抑制する電力供給抑制部４により構成される。【選択図】  図２
2005109805.tif 000002
【特許請求の範囲】
【請求項１】
ユーザによるシャッター操作に基づいて発光する発光手段と、
バースト送信期間が上記発光手段の発光期間よりも短いＲＦバースト信号を基地局に対して送信するＲＦバースト送信手段と、
上記発光手段及び上記ＲＦバースト送信手段に電力を供給する電力供給手段と、
上記ＲＦバースト信号の送信タイミングに基づいて、上記発光手段に対する電力供給を抑制する電力供給抑制手段とを備えたことを特徴とする携帯通信端末。
【請求項２】
上記電力供給抑制手段は、少なくとも上記ＲＦバースト信号のバースト送信期間中、上記発光手段に対する電力供給を停止させることを特徴とする請求項１に記載の携帯通信端末。
【請求項３】
基地局から送信された制御信号を受信する受信手段と、
上記ＲＦバースト信号の送信タイミングを示す上記制御信号に基づいて抑制イネーブル信号を生成するイネーブル信号生成手段とを備え、
上記ＲＦバースト送信手段は、上記制御信号に基づいて上記ＲＦバースト信号を送信し、
上記電力供給抑制手段は、上記抑制イネーブル信号に基づいて、上記ＲＦバースト信号の送信タイミングに同期させて電力供給を抑制することを特徴とする請求項１に記載の携帯通信端末。
【請求項４】
上記電力供給抑制手段は、上記ＲＦバースト信号の送信開始よりも予め定められた期間早く電力供給の抑制を開始することを特徴とする請求項３に記載の携帯通信端末。
【請求項５】
上記電力供給抑制手段は、上記ＲＦバースト信号の送信終了から予め定められた期間の経過後に電力供給の抑制を解除することを特徴とする請求項３に記載の携帯通信端末。
【発明の詳細な説明】
【技術分野】
【０００１】
本発明は、携帯通信端末に係り、さらに詳しくは、ユーザによるシャッター操作に基づいて発光するフラッシュライトなどを備えた携帯通信端末の改良に関する。
【背景技術】
【０００２】
近年、デジタルカメラ搭載の携帯電話機が普及してきている。この様な携帯通信端末に搭載されるデジタルカメラは、端末内蔵のアプリケーションプログラムにより動作し、フレームごとの画像データを一時保存用メモリに順次に一時記憶させることによって被写体の撮影が行われる。そして、ユーザがシャッター操作を行うと、このシャッター操作に基づいて１フレーム分の画像データがデータ保存用メモリに取り込まれ、撮影が完了する。この様にして撮影された被写体の画像データは、電子メールとして相手端末に送信したり、ＬＣＤ（Liquid Crystal Display）に表示させることができる。
【０００３】
最近では、昼間だけでなく、夜間や逆光時にも被写体の撮影が行える携帯通信端末も製品化されている（例えば、特許文献１）。この様な携帯通信端末には、光量不足を補うためのフラッシュライトが備えられ、デジタルカメラによる撮影に連動して点灯させることができる。このフラッシュライト（「ストロボ」（商標）と呼ばれることもある）は、ユーザによるシャッター操作に基づいて発光するＬＥＤ（Light Emitting Diode）などの発光手段からなる。
【０００４】
デジタルカメラによる撮影時には、デジタルカメラや、アプリケーションプログラム、ＬＣＤなどが同時に動作するので、電力の消費量が多くなる。特に、電力の消費量が他のものに比べて多いフラッシュライトが点灯すると、端末における電力消費量が著しく増大する。一般に、電子メールの着信時や端末の位置登録時などには、端末から基地局に対してＲＦ（Radio Frequency）バースト信号が送信される。このＲＦバースト信号の送信にも電力が比較的多く消費される。端末の各部に供給される電力は、通常、全て端末内蔵の電池から供給されるので、フラッシュライトの点灯中に、ＲＦバースト信号の送信が行われると、一時的に電池に高い負荷がかかってしまうという問題があった。例えば、端末におけるシステムの正常な動作が保証された電圧を電池の供給電圧が下回ってしまうというようなことが考えられる。
【０００５】
また、ＲＦバースト信号の送信タイミングは、基地局からの制御信号に基づいて決定されるので、端末では制御することができない。このため、フラッシュライトの点灯及びＲＦバースト信号の送信が同時に起こってしまうのを回避することができないという問題もあった。
【０００６】
図７は、従来の携帯通信端末におけるＲＦバースト信号の送信に伴う供給電圧の低下の様子を示した概略図であり、電力消費量が少ない場合及び電力消費量が多い場合における電圧低下時の様子が示されている。基地局に対して端末から送信されるＲＦバースト信号は、基地局からの制御信号に基づいて生成される送出同期信号（Ｔｘ）１０１に同期させて送出される。この送出同期信号１０１は、一定の周期（５ｍｓ程度）を有するパルス信号であり、ＲＦバースト信号のバースト送信期間に相当するパルス幅は、０．５ｍｓ程度である。この様なＲＦバースト信号の送信による電力消費量（電流値換算）は、通信方式としてＧＳＭ（Global System for Mobile Communications）方式を採用した携帯電話機の場合で約１．５Ａ、ＰＤＣ（Personal Digital Cellular）方式を採用した携帯電話機の場合で約８００ｍＡである。
【０００７】
電池の供給電圧は、負荷のないときで３．６Ｖ程度であり、電力消費量が少ない場合の供給電圧１０２は、ＲＦバースト信号が送出されても、端末におけるシステムの保証電圧（２．８Ｖ程度）を下回ることはない。しかし、電力消費量が多い場合、特に、電流値換算で最大６００〜７００ｍＡの電力を消費するフラッシュライトが点灯している場合の供給電圧１０３は、ＲＦバースト信号が送信されるバースト送信期間において電池に高い負荷がかかり、システムの保証電圧を下回ってしまう。
【特許文献１】特開２００３−２１９０６２号公報
【発明の開示】
【発明が解決しようとする課題】
【０００８】
上述した通り、従来の携帯通信端末では、フラッシュライトの点灯中に、ＲＦバースト信号の送信が行われると、電池の供給電圧が端末におけるシステムの保証電圧より低下しかねないという問題があった。また、フラッシュライトの点灯及びＲＦバースト信号の送信が同時に起こってしまうのを回避することができないという問題があった。
【０００９】
本発明は、上記事情に鑑みてなされたものであり、システムの信頼性を向上させた携帯通信端末を提供することを目的としている。特に、一時的に電池に過大な負荷がかかるのを抑制することができる携帯通信端末、例えば、電池からの供給電圧が端末におけるシステムの保証電圧を下回ることのない携帯通信端末を提供することを目的としている。
【課題を解決するための手段】
【００１０】
本発明による携帯通信端末は、ユーザによるシャッター操作に基づいて発光する発光手段と、バースト送信期間が上記発光手段の発光期間よりも短いＲＦバースト信号を基地局に対して送信するＲＦバースト送信手段と、上記発光手段及び上記ＲＦバースト送信手段に電力を供給する電力供給手段と、上記ＲＦバースト信号の送信タイミングに基づいて、上記発光手段に対する電力供給を抑制する電力供給抑制手段により構成される。
【００１１】
この様な構成によれば、シャッター操作に基づいて発光手段が点灯しているときにＲＦバースト信号の送信が行われても、ＲＦバースト信号の送信タイミングに基づいて発光手段に対する電力供給が抑制されるので、電力供給手段にかかる負荷を軽減することができる。
【００１２】
本発明による携帯通信端末は、上記構成に加え、上記電力供給抑制手段が、少なくとも上記ＲＦバースト信号のバースト送信期間中、上記発光手段に対する電力供給を停止させるように構成される。この様な構成によれば、発光手段の発光期間より短い送信期間で送信されるＲＦバースト信号の送信期間中だけ電力供給が停止されるので、電力供給手段からの供給電圧が低下するのを抑制することができる。
【００１３】
本発明による携帯通信端末は、上記構成に加え、基地局から送信された制御信号を受信する受信手段と、上記ＲＦバースト信号の送信タイミングを示す上記制御信号に基づいて抑制イネーブル信号を生成するイネーブル信号生成手段を備え、上記ＲＦバースト送信手段が、上記制御信号に基づいて上記ＲＦバースト信号を送信し、上記電力供給抑制手段が、上記抑制イネーブル信号に基づいて、上記ＲＦバースト信号の送信タイミングに同期させて電力供給を抑制するように構成される。この様な構成によれば、ＲＦバースト信号の送信タイミングを示す制御信号に基づいて生成される抑制イネーブル信号によって電力供給の抑制が行われるので、ＲＦバースト信号の送信タイミングに同期させての電力供給の抑制を容易に行うことができる。
【００１４】
本発明による携帯通信端末は、上記構成に加え、上記電力供給抑制手段が、上記ＲＦバースト信号の送信開始より予め定められた期間前に電力供給の抑制を開始するように構成される。この様な構成によれば、ＲＦバースト信号の送信開始より前に電力供給の抑制が開始されるので、発光手段に対する電力供給の抑制処理に十分な時間を要する場合に、電力供給手段からの供給電圧の低下を確実に抑制することができる。
【００１５】
本発明による携帯通信端末は、上記構成に加え、上記電力供給抑制手段が、上記ＲＦバースト信号の送信終了から予め定められた期間経過後に電力供給の抑制を解除するように構成される。この様な構成によれば、ＲＦバースト信号の送信終了から一定期間経過後に電力供給の抑制が解除されるので、ＲＦバースト信号の送信終了後、電力供給手段からの供給電圧の回復に十分な時間を要する場合に、電力供給手段からの供給電圧の低下を確実に抑制することができる。
【発明の効果】
【００１６】
本発明の携帯通信端末によれば、シャッター操作に基づいて発光手段が点灯しているときにＲＦバースト信号の送信が行われても、ＲＦバースト信号の送信タイミングに基づいて発光手段に対する電力供給が抑制されるので、電力供給手段にかかる負荷を軽減することができる。従って、電力供給手段に一時的に過大な負荷がかかるのを抑制することができるので、システムの信頼性を向上させることができる。
【発明を実施するための最良の形態】
【００１７】
実施の形態１．
図１（ａ）及び（ｂ）は、本発明の実施の形態１による携帯通信端末の一例を示した図であり、フラッシュライト６を備えた携帯電話機１の外観が示されている。図中の（ａ）には、携帯電話機１の操作面側、すなわち、折り畳み式形状を開いた状態での内側が示され、（ｂ）には、折り畳み式形状を閉じた状態でのカメラ搭載側が示されている。
【００１８】
操作面側には、シャッター音を出力するためのスピーカ１２と、画像データを表示するためのＬＣＤ７と、操作入力を行うための複数の操作キーからなる操作入力部９とが設けられている。操作入力部９には、カメラモードキー９ａが含まれている。また、操作面側の反対側には、発光手段としてのフラッシュライト６と、被写体を撮影するためのデジタルカメラ１１とが設けられている。
【００１９】
カメラモードキー９ａは、携帯電話機１の動作モードをカメラモードに移行させるための操作キーであり、カメラモードでは、デジタルカメラ１１により撮影された画像データがＬＣＤ７に順次に表示される。このカメラモード中は、必要に応じてユーザの操作によりフラッシュライト６を点灯（予備発光）させることができる。この様な状態において、ユーザがシャッター操作を行えば、そのシャッター操作に基づいて画像データが取り込まれるとともに、シャッター音がスピーカ１２から出力される。このとき、シャッター操作に連動してフラッシュライト６を本発光させることができる。本実施の形態による携帯電話機１では、フラッシュライト６が点灯している場合、当該フラッシュライト６に対して供給される電力を抑制する処理が行われる。
【００２０】
図２は、図１の携帯電話機１内部の一構成例を示したブロック図である。図中の２は送受信部、３はイネーブル信号生成部、４は電力供給抑制部、５は電池（ＢＡＴＴ）、６はフラッシュライト、７はＬＣＤ、８はＬＣＤ用バックライト、９は操作入力部、１０は操作パネル用バックライト、１１はデジタルカメラ、１２はスピーカ、１３は一時保存用メモリ、１４はデータ保存用メモリ、１５はＣＰＵである。なお、図１に示された構成要素に相当するブロックには同一の符号を付している。携帯電話機１では、基地局Ａ１からの制御信号に基づいて送信するＲＦバースト信号の送信時にフラッシュライト６に対する電力供給の抑制処理が行われる。
【００２１】
基地局Ａ１は、移動体通信を中継する通信設備であり、当該基地局Ａ１が管理するサービスエリア内の携帯電話機１に対し、必要に応じて制御信号の送信を行っている。例えば、携帯電話機１を宛先とする電子メール（パケットデータ）の着信時や、ＧＰＲＳ（General Packet Radio Service）による携帯電話機１の位置登録時に制御信号が送信される。この制御信号は、通信チャネルの割り当てを行うための信号であり、例えば、時分割多重通信におけるタイムスロットが携帯電話機１に割り当てられる。従って、制御信号には、ＲＦバースト信号の送信タイミングを指示するためのデータが含まれている。本実施の形態では、この様な制御信号に基づいて、ＲＦバースト信号の送信が行われるとともに、電力供給の抑制処理が行われる。
【００２２】
フラッシュライト６は、被写体に対して白色光を照射し、暗い場所でもデジタルカメラ１１による撮像を可能にする発光手段であり、ＬＥＤなどの発光素子からなるモバイルライトである。例えば、操作入力部９におけるシャッター操作に基づいて発光し、デジタルカメラ１１による撮影に連動して点灯させることができる。また、電子メールなどの着信時にも点灯させることができる。このフラッシュライト６は、ＣＰＵ１５の指示に基づいて、輝度の異なる２段階の発光状態で点灯させることができる。ここでは、シャッター操作時にデジタルカメラ１１への入射光量を増大させるためにフラッシュライト６を高輝度で点灯させた発光状態を本発光と呼び、撮影中に眩しくない程度にフラッシュライト６を低輝度で点灯させた発光状態を予備発光と呼ぶことにする。
【００２３】
ＬＣＤ７は、デジタルカメラ１１により撮影された画像データなどを画面表示する液晶表示装置であり、ＬＣＤ用バックライト８により表示画面の照明が行われる。操作入力部９は、シャッター操作などの入力操作が行われるキー操作パネルからなり、操作パネル用バックライト１０により操作パネル部分の照明が行われる。
【００２４】
デジタルカメラ１１は、ＣＣＤ（Charge Coupled Device：電荷結合素子）やＣＭＯＳイメージセンサなどの撮像素子からなり、画素ごとの輝度レベルからなる画像データをフレームごとに生成している。この画像データを一時保存用メモリ１３に順次に一時記憶させることによって被写体の撮影が行われる。ユーザがシャッター操作を行うと、このシャッター操作に基づいて１フレーム分の画像データがデータ保存用メモリ１４に取り込まれ、撮影が完了する。この様にして撮影された被写体の画像データは、電子メールとして相手端末に送信したり、ＬＣＤ７に画面表示させることができる。
【００２５】
撮影時におけるフレームレートは、周囲が明るい場合、１秒当たり１０フレームであり、周囲が暗い場合には、１秒当たり２．５フレームである。つまり、１フレーム分の撮像期間（フレーム周期）は、周囲が明るい場合、１００ｍｓであり、周囲が暗い場合には、４００ｍｓである。従って、ＲＦバースト信号の送信期間（０．５ｍｓ程度）は、上記１フレーム分の撮像期間に比べて十分短いので、このバースト送信期間中、フラッシュライト６に対する電力供給を停止させても、画像データに対する影響は少ないと考えられる。スピーカ１２は、音声の出力装置であり、シャッター操作に基づいてシャッター音の出力が行われる。
【００２６】
送受信部２は、基地局Ａ１から送信された制御信号の受信処理と、基地局Ａ１に対するＲＦバースト信号の送信処理とを行っている。送受信部２では、受信した制御信号に基づいて、ＲＦバースト信号の送信タイミングを示す送出同期信号（Ｔｘ）が生成される。受信した制御信号の一部は、イネーブル信号生成部３へ出力される。一方、ＲＦバースト信号の送信処理では、送出同期信号に同期させてＲＦバースト信号が送出される。このＲＦバースト信号の送信が行われるバースト送信期間は、フラッシュライト６の発光期間より短い。また、ＲＦバースト信号は、上記発光期間より短い周期で繰り返し送信される。
【００２７】
イネーブル信号生成部３は、送受信部２からの制御信号に基づいて抑制イネーブル信号（Ｔｘｅｎ）の生成を行っている。この抑制イネーブル信号は、フラッシュライト６に対する電力供給の抑制タイミングを示すパルス信号である。生成した抑制イネーブル信号は、電力供給抑制部４へ順次に出力される。
【００２８】
電力供給抑制部４は、イネーブル信号生成部３からの抑制イネーブル信号に基づいて、フラッシュライト６に対する電力供給の抑制処理を行っている。すなわち、ＣＰＵ１５を介して電池５からフラッシュライト６に供給される電力を抑制イネーブル信号に同期させて抑制する処理が行われる。従って、ＲＦバースト信号の送信タイミングに同期させて電力供給を抑制することができる。この電力供給の抑制処理によって、フラッシュライト６が点灯しているときにＲＦバースト信号の送信が繰り返し行われても、ＣＰＵ１５に対する電池５からの供給電圧の低下を抑制することができる。ここでは、少なくともＲＦバースト信号の送信期間中、フラッシュライト６に対する電力供給を停止させるものとする。これによって、ＲＦバースト信号の送信期間内において一時的に電池５に過大な負荷がかかるのを防止することができるので、電池５からの供給電圧がシステムの保証電圧を下回るのを確実に防止することができる。
【００２９】
電池（ＢＡＴＴ）５は、充電可能な直流電源であり、ＣＰＵ１５を介して各部へ電力の供給を行っている。カメラモードにおける撮影時には、デジタルカメラ１が動作し、撮影された画像データがＬＣＤ７に表示され、シャッター操作によってフラッシュライト６も点灯するので、電池５に高い負荷がかかる。例えば、各部における電力消費量（電流値換算）は、フラッシュライトが最大６００〜７００ｍＡ、ＬＣＤ用バックライト８が１００ｍＡ程度、操作パネル用バックライト１０が５０ｍＡ程度、デジタルカメラ１１が最大２００ｍＡ、スピーカ１２が最大８０〜１００ｍＡである。特に、電力消費量が他のものに比べて多いフラッシュライト６の点灯時には、極めて高い負荷状態となる。このため、負荷の大きいフラッシュライト６に対する電力供給を抑制することによって、電池５に過大な負荷がかかるのを効果的に防止することができる。
【００３０】
図３は、図２の携帯電話機１における要部の構成例を示した回路図であり、電池５からの電力供給を抑制イネーブル信号（Ｔｘｅｎ）により抑制してフラッシュライト６を点灯させるための構成が示されている。フラッシュライト６は、赤（Ｒ）、緑（Ｇ）、青（Ｂ）の３つのＬＥＤ２２と、ＬＥＤ２２を流れる電流を制御する３つの電流制御回路２３と、昇圧用のＤＣ／ＤＣコンバータ２１とからなる。電流制御回路２３は、各ＬＥＤ２２の出力側にそれぞれ設けられる定電流源である。各ＬＥＤ２２は並列に接続され、緑及び青のＬＥＤ２２にはＤＣ／ＤＣコンバータ２１による昇圧後の電力が供給される。各ＬＥＤ２２の輝度調整や、色のバランス調整は、各電流制御回路２３による電流調整により行われる。
【００３１】
電力供給抑制部４は、各ＬＥＤ２２の出力端にそれぞれ接続される３つのトランジスタからなり、エミッタ側はそれぞれ接地されている。各トランジスタのベース側には、イネーブル信号生成部３からの抑制イネーブル信号の位相反転信号がそれぞれ入力され、抑制イネーブル信号がオンすると、各ＬＥＤ２２に対する電力供給が停止する。従って、ＲＦバースト信号の送信タイミングに同期させてフラッシュライト６をオフすることができる。なお、各トランジスタは、ＣＰＵ１５の指示に基づく通常のオンオフ動作も行っている。
【００３２】
図４は、フラッシュライトの発光タイミング及び送出同期信号の生成タイミングの一例を比較して示した図である。フラッシュライト６は、ユーザによるシャッター操作に基づいて所定の発光期間点灯される。この発光期間は、被写体の撮影時における周囲の明るさに基づいて定められ、例えば、周囲が暗い場合には、１フレーム分の撮像期間に合わせて約４００ｍｓである。一方、ＲＦバースト信号の送信タイミングを示す送出同期信号（Ｔｘ）３１は、約５ｍｓの周期で生成されるので、上記発光期間内にＲＦバースト信号を８０回送出することができる。つまり、ＲＦバースト信号の送信期間は、発光期間に比べて十分短いので、送信期間中フラッシュライト６に対する電力供給を停止させても、画像データに対する影響は少ないと考えられる。
【００３３】
図５は、図２の携帯電話機１において送出同期信号に基づいて変化する電池の電圧レベルと、抑制イネーブル信号に基づいて変化するフラッシュライトの供給電力とを比較して示した図である。電池５の電圧レベル４２は、送出同期信号（Ｔｘ）４１の立ち上がりに同期して低下し始め、やがて飽和に達する。その後、電圧レベル４２は、送出同期信号４１の立ち下がりに同期して増加し始め、送出同期信号４１の立ち下がりから一定の遅延期間Ａ３経過すると元のレベルにまで回復する。
【００３４】
一方、フラッシュライト６の供給電力４４は、抑制イネーブル信号（Ｔｘｅｎ）４３の立ち上がりに同期して低下し始め、立ち上がりから一定の遅延期間Ａ２経過後にオフとなる。その後、抑制イネーブル信号４３の立ち下がりに同期してオンとなる。ＤＣ／ＤＣコンバータ２１を構成するコンデンサーの充放電には十分な時間を要するので、フラッシュライト６に対する電力供給を停止させてもすぐに電力消費量が下がるわけではなく、電力供給の停止動作から一定の遅延期間Ａ２だけ遅延して供給電力４４がオフする。抑制イネーブル信号４３は、フラッシュライト６におけるこの様な遅延動作を考慮して予め定められた遅延期間Ａ２に基づいて、送出同期信号４１の立ち上がりより遅延期間Ａ２だけ前に立ち上がる。つまり、ＲＦバースト信号の送信開始より前にフラッシュライト６に対する電力供給の停止動作が行われる。
【００３５】
また、電池５内における化学変化には十分な時間を要するので、ＲＦバースト信号の送信が終了してもすぐに電圧レベル４２が回復するわけではなく、元のレベルにまで回復するには、ＲＦバースト信号の送信終了から一定の遅延期間Ａ３を要する。抑制イネーブル信号４３は、電池５におけるこの様な遅延期間Ａ３を考慮して予め定められた遅延期間Ａ３に基づいて、送出同期信号４１の立ち下がりから遅延期間Ａ３だけ後に立ち下がる。つまり、ＲＦバースト信号の送信終了から遅延期間Ａ３経過後にフラッシュライト６に対する電力供給の抑制動作が解除され、供給電力４４がオンする。この様にすることによって、ＲＦバースト信号の送信期間中における電池の電圧レベル４２を一定レベル以上に確実に保持することができる。
【００３６】
図６は、シャッター操作に基づいて取り込まれる画像データの取り込みタイミングと、シャッター操作に連動して本発光するフラッシュライトの発光タイミングとを比較して示した図である。フラッシュライト６は、発光タイミング５２をシャッター操作に基づいてデータ保存用メモリ１４に取り込まれる画像データの取り込みタイミング５１に同期させて本発光している。
【００３７】
撮影動作中における操作入力によってフラッシュライト６の点灯モードとなり、この点灯モードに移行した時点でフラッシュライト６が予備発光する。予備発光時の発光レベルは、電流値換算で１００ｍＡ程度であり、一定期間点灯させることができる。この予備発光状態でシャッター操作が行われると、１フレーム分の撮像期間（４００ｍｓ）中だけ本発光する。本発光時の発光レベルは、６００ｍＡ程度である。この様なフラッシュライト６の点灯期間５３中にＲＦバースト信号の送信処理が行われると、フラッシュライト６に対する電力供給の抑制処理が行われる。
【００３８】
本実施の形態によれば、基地局Ａ１に対するＲＦバースト信号の送信タイミングに基づいて、フラッシュライト６に対する電力供給が抑制されるので、シャッター操作に基づいてフラッシュライト６が点灯しているときにＲＦバースト信号の送信が行われても、電池５にかかる負荷を軽減することができる。特に、電池５からの供給電圧が携帯電話機１におけるシステムの保証電圧を下回るのを防止することができる。また、ＲＦバースト信号の送信時において、フラッシュライト６の点灯による電池５の供給電圧のドロップを抑制することができるので、容量が小さい電池を用いることができる。
【００３９】
なお、本実施の形態では、電力消費量が多いフラッシュライト６に対する電力供給が抑制される場合の例について説明したが、本発明はこれに限られるものではない。例えば、ＬＣＤ用バックライト８や、操作パネル用バックライト１０、スピーカ１２に対する電力供給を抑制するようなものであっても良い。
【００４０】
また、本実施の形態では、ＲＦバースト信号の送信時にフラッシュライト６に対する電力供給が停止される場合の例について説明したが、本発明はこれに限られるものではない。例えば、ＲＦバースト信号の送信時にフラッシュライト６の発光量を所定レベル以下に低減させるようなものであっても良い。このようにしても、フラッシュライト６に対して供給される電力を抑制することができるので、電池５にかかる負荷を軽減させることができる。
【００４１】
また、本実施の形態では、時分割多重通信におけるタイムスロットを割り当てるための制御信号に基づいてＲＦバースト信号が生成され、ＲＦバースト信号の送信タイミングに基づいて電力供給の抑制処理が行われる場合の例について説明したが、本発明はこれに限られるものではない。例えば、ＲＦバースト信号の送信タイミングが端末側では制御できないような通信方式を採用する携帯通信端末に適用することができる。特に、基地局Ａ１から送信される信号に基づいて、送信タイミングが決定されるケースに好適である。
【図面の簡単な説明】
【００４２】
【図１】本発明の実施の形態１による携帯通信端末の一例を示した図である。
【図２】図１の携帯電話機１内部の一構成例を示したブロック図である。
【図３】図２の携帯電話機１における要部の構成例を示した回路図である。
【図４】フラッシュライトの発光タイミング及び送出同期信号の生成タイミングの一例を比較して示した図である。
【図５】図２の携帯電話機１において送出同期信号に基づいて変化する電池の電圧レベルと、抑制イネーブル信号に基づいて変化するフラッシュライトの供給電力とを比較して示した図である。
【図６】シャッター操作に基づいて取り込まれる画像データの取り込みタイミングと、シャッター操作に連動して本発光するフラッシュライトの発光タイミングとを比較して示した図である。
【図７】従来の携帯通信端末におけるＲＦバースト信号の送信に伴う供給電圧の低下を示した図である。
【符号の説明】
【００４３】
１  携帯電話機
２  送受信部
３  イネーブル信号生成部
４  電力供給抑制部
５  電池（ＢＡＴＴ）
６  フラッシュライト
７  ＬＣＤ
８  ＬＣＤ用バックライト
９  操作入力部
９ａ  カメラモードキー
１０  操作パネル用バックライト
１１  デジタルカメラ
１２  スピーカ
１３  一時保存用メモリ
１４  データ保存用メモリ
１５  ＣＰＵ
２１  ＤＣ／ＤＣコンバータ
２２  ＬＥＤ
２３  電流制御回路
３１，４１  送出同期信号（Ｔｘ）
４３  抑制イネーブル信号（Ｔｘｅｎ）
Ａ１  基地局
Ａ２，Ａ３  遅延期間
【図１】
2005109805.tif 000003
【図２】
2005109805.tif 000004
【図３】
2005109805.tif 000005
【図４】
2005109805.tif 000006
【図５】
2005109805.tif 000007
【図６】
2005109805.tif 000008
【図７】
2005109805.tif 000009